【事件の表示】
　特許第３３８４１３９号「画像入力装置」の請求項１ないし４に係る特許に対する特許異議の申立てについて、次のとおり決定する。
【結　論】
　訂正を認める。
　特許第３３８４１３９号の請求項１に係る特許を取り消す。
【理　由】
　特許３３８４１３９号の請求項１乃至４に係る発明についての出願は、平成６年９月３０日に特許出願され、平成１４年１２月２７日にその発明について特許権の設定登録がなされ、その後、その特許について、特許異議申立人神田泰貴より特許異議の申立がなされ、平成１６年５月１１日付けて取消理由が通知され、その指定期間である平成１６年７月１５日に訂正請求がなされ、平成１６年７月２２日付で訂正拒絶理由が通知され、平成１６年９月３日に手続補正書が提出されたものである。
　訂正請求と手続補正について、平成１６年９月３日の手続補正書の訂正事項の補正は軽微な瑕疵の補正であるので、補正された訂正請求書による訂正を認める。
　したがって、本件の請求項１に係る発明は、平成１６年９月３日付の手続補正書に記載された、訂正明細書の請求項１に記載されたものであると認める。
　これに対して、平成１６年９月１４日付で再度の取消理由を通知し、期間を指定して意見書を提出する機会を与えたが、特許権者からは何らの応答もない。
　そして、上記の取消理由は妥当なものと認められるので、本件特許は、この取消理由によって取り消すべきものである。
　よって、結論のとおり決定する。
【異議決定日】
平成１６年１２月２１日（２００４．１２．２１）
【訂正の要旨】
審決（決定）の【理由】欄参照。
（５４）【発明の名称】
画像入力装置
（５７）【特許請求の範囲】
　【請求項１】画像を読み取り画像データを出力するスキャナと、読み込み開始ボタンを備えるスキャナ制御部と、画像データを格納する記憶部と、画像データを表示するディスプレイと、スキャナの出力する画像データをディスプレイに表示するディスプレイ制御部と、
電子メールの送信先を入力するキーパッドと、キーパッドからの入力に対応するアスキーコードに出力するキーパッド制御部と、
キーパッド制御部から出力される
ペン入力デバイスと、前記ディスプレイと読み込み開始やメール送信やメールアドレス選択の操作の入力箇所が特定の座標領域に割り当てられているペン入力デバイスの座標入力面とを一体にした装置と、ペン入力デバイスと座標入力面の入力から指定座標を算出しその座標に割り当てられている操作が存在する場合は操作の指示情報を出力するペン入力デバイス制御部と、電子メールの送信先アドレスを格納しているアドレス記憶部と、アドレス記憶部から読み出したメールアドレスからペン入力デバイス制御部の出力するメールアドレス選択情報に合致するメールアドレスを選択し電子メール送信部へ出力するアドレス選択部と、
を備え、
　
前記一体にした装置の所定のボタンをペン入力デバイスで指定することにより画像を読み込み、電子メールの送信先の入力をペン入力で行なうことを特徴とする画像入力装置。
【発明の詳細な説明】
　【０００１】
　【産業上の利用分野】
　本発明は、画像を画像データとして読み込む画像入力装置に関するものである。
　【０００２】
　【従来の技術】
　近年、マルチメディア技術の進展に伴い、画像データを使用するシステムが増加しており、画像データの入力手段としてスキャナが用いられる場合が多い。ネットワーク化に伴い、スキャナをネットワークに接続し、ネットワーク上の資源として有効に活用する試みも為されている。
　【０００３】
　以下、従来のスキャナを利用した画像入力装置について説明する。ネットワークにスキャナを接続したシステムの構成例として、特開平５−２７４３９７号公報のものがあり、図８はこの画像処理システムの構成を示したものである。
　【０００４】
　図８において、８０１はホストコンピュータ、８０２はスキャナプリンタサーバ、８０３はスキャナとプリンタを備えた画像処理装置、８０４はネットワーク、８０５はクライアントプロセス、８０６はサーバプロセス、８０７はスキャナプリンタ制御信号、８０８はデータ信号である。
　【０００５】
　以上のように構成された画像処理システムについて、以下その動作について説明する。ホストコンピュータ８０１では画像処理装置８０３を制御するためのクライアントプロセス８０５が実行される。また、スキャナプリンタサーバ８０２においては、クライアントプロセス８０５の制御に基づいて画像処理装置を制御するサーバプロセス８０６を実行させておく。クライアントプロセス８０５はネットワーク８０４を介してサーバプロセス８０６に対して通信を行ない、画像処理装置での画像の読み込み、印刷の操作を行なう。スキャナプリンタサーバ８０２と画像処理装置８０３との間には、スキャナプリンタの入出力の指示を伝達するスキャナプリンタ制御信号８０７と画像データや同期信号の入出力に用いられるデータ信号８０８がある。
　【０００６】
　このように、上記従来の技術でも、スキャナをネットワークに接続し、ネットワークの共有資源として利用することができる。
　【０００７】
　【発明が解決しようとする課題】
　しかしながら、上記従来の画像処理システムでは、クライアントプロセスからのネットワークを介した指示を受けてスキャナを制御するスキャナサーバが必要であるため、システム全体のコストが高くなるという問題を有していた。
　【０００８】
　また、読み込んだ画像データを、スキャナサーバを利用することのできない遠方のネットワークの情報端末などを含む複数の相手に画像入力装置から送信することができないため、複数の相手に画像データを送信する場合は、画像データをスキャナサーバの補助記憶装置に記憶したり、ネットワークを介して画像データをクライアント側の情報端末に読み込み補助記憶装置に記憶したりしておき、その画像データを複数の相手に送信するという手順を踏まなければならなかった。
　【０００９】
　その上、画像データはデータサイズの大きいバイナリデータであるため、ＭＨＳ（Ｘ．４００）などの一部のプロトコルを除いて、そのままでは電子メールで送信することができず、電子メールの発信者は画像データをアスキーコードに変換してから分割してデータサイズを十分小さくしてから電子メールで送信しなければならないため、画像入力装置により入力した画像データの配布手段としては電子メールは一般的には使用されておらず、例えばＴＣＰ／ＩＰプロトコルのネットワーク上ではＦＴＰコマンドによるファイル転送等の手段で情報端末間の画像データの受渡しを行なっていた。
　【００１０】
　本発明は、上記従来の課題を解決するもので、画像入力装置単体で画像読み込みの操作を行なうことができ、また、画像データの複数相手への電子メールによる送信を行なうことができる画像入力装置を提供することを目的とするものであ
　【００１１】
　【課題を解決するための手段】
　上記目的を達成するために、本発明の画像入力装置は、第１の構成として、画像を読み取り画像データを出力するスキャナと、読み込み開始ボタンを備えるスキャナ制御部と、画像データを格納する記憶部と、画像データを表示するディスプレイと、スキャナの出力する画像データをディスプレイに表示するディスプレイ制御部と、
電子メールの送信先を入力するキーパッドと、キーパッドからの入力に対応するアスキーコードに出力するキーパッド制御部と、
キーパッド制御部から出力される
ペン入力デバイスと、前記ディスプレイと読み込み開始やメール送信やメールアドレス選択の操作の入力箇所が特定の座標領域に割り当てられているペン入力デバイスの座標入力面とを一体にした装置と、ペン入力デバイスと座標入力面の入力から指定座標を算出しその座標に割り当てられている操作が存在する場合は操作の指示情報を出力するペン入力デバイス制御部と、電子メールの送信先アドレスを格納しているアドレス記憶部と、アドレス記憶部から読み出したメールアドレスからペン入力デバイス制御部の出力するメールアドレス選択情報に合致するメールアドレスを選択し電子メール送信部へ出力するアドレス選択部と、
を備え、
　
前記一体にした装置の所定のボタンをペン入力デバイスで指定することにより画像を読み込み、電子メールの送信先の入力をペン入力で行なうことを特徴とする。
　【００１２】
　【００１３】
　【００１４】
　【００１５】
　【作用】
　本発明は、上記第１の構成によって、画像入力装置本体だけで画像読み込みの操作を行なうことができ、画像データの電子メールによる送信を行なうことができる。
また、ペン入力デバイスによる操作を可能にし、画像入力装置の操作性を向上させることができる。
　【００１６】
　【００１７】
　【００１８】
　【００１９】
　【実施例】
　（実施例１）
　以下、本発明の第１の実施例について、図１を参照しながら説明する。図１において、１０１は実際に画像を読み込むスキャナ、１０２は画像読み込み開始ボタンを備えるスキャナ制御部、１０３は読み込んだ画像データを保持する記憶部、１０４はディスプレイ、１０５はスキャナ１０１から出力される画像データをディスプレイ１０４に表示するディスプレイ制御部、１０６は電子メールの送信先入力のための英数字および特殊記号が入力可能なキーパッド、１０７はキーパッド１０６からの入力情報をアスキーコードで出力するキーパッド制御部、１０８は記憶部１０３から画像データを読み出し電子メールを作成する電子メール送信部、１０９は画像入力装置とイーサネットを接続するイーサネットインタフェース、１１０はイーサネット、１００は画像入力装置である。
　【００２０】
　なお、ここではネットワーク環境としてイーサネットを使用する場合について説明するが、例えばＦＤＤＩなど他のネットワーク環境を使用する場合も、同様に使用することができる。
　【００２１】
　以上のように構成された画像入力装置について、以下その動作を説明する。ここでは電子メールとしてＵＮＩＸメール（ＲＦＣ８２２）を利用する場合について説明する。利用者がスキャナ制御部１０２の画像読み込み開始ボタンを押すと、スキャナ制御部１０２はディスプレイ制御部１０５へ読み込み開始を伝達すると共にスキャナ１０１を制御し、スキャナ１０１が画像を読み込む。読み込まれた画像データは記憶部１０３とディスプレイ制御部１０５へ出力され、記憶部１０３は画像データを格納し、ディスプレイ制御部１０５は入力された画像データをディスプレイ１０４に表示する。利用者がキーパッド１０６から電子メールの送信先のアドレスを入力すると、キーパッド制御部１０７は送信先アドレス情報をアスキーコードに変換して電子メール送信部１０８へ出力する。
　【００２２】
　電子メール送信部１０８は送信先アドレス情報を入力されると、記憶部１０３から画像データを読み出し、画像データをアスキーコードに変換し、送信先アドレス情報を加えてＵＮＩＸメール（ＲＦＣ８２２）形式の電子メールを作成し、イーサネットインタフェース１０９を介してイーサネット１１０へ電子メールを出力する。アスキーコードに変換した画像データのサイズが５０キロバイトを越えるサイズの場合は、電子メール送信部１０８は画像データを５０キロバイトごとに分割してから電子メールを複数作成し、イーサネットインタフェース１０９を介して、複数の電子メールをイーサネット１１０へ出力する。
　【００２３】
　なお、ここでは電子メールとしてＵＮＩＸメール（ＲＦＣ８２２）を利用する場合について説明したが、例えばＭＨＳ（Ｘ．４００）プロトコルのメールシステムも同様に利用することができる。ＭＨＳ（Ｘ．４００）を利用する場合はバイナリデータをそのままのサイズで電子メールに取り込むことが可能なため、電子メール送信部１０８でのアスキーコードへの変換及び画像データの分割処理は不要となる。
　【００２４】
　図２は、図１の画像入力装置を利用する場合のシステムの構成例を示したものである。図２において、２０１は図１で示した画像入力装置、２０２ａ、２０２ｂはパーソナルコンピュータ、２０３はプリンタ、２０４はイーサネットである。以上のように構成されたシステムについて、以下その利用形態を説明する。パーソナルコンピュータ２０２ａの利用者が画像入力装置２０１を利用する場合は、画像入力装置２０１に原稿を設置し画像読み込み開始ボタンを押すことによって画像を読み込むことができる。画像入力装置２０１のキーパッドから自分の電子メールアドレスを入力することで読み込んだ画像データを自分のパーソナルコンピュータ２０２ａへ送信することができる。さらに読み込んだ画像データをパーソナルコンピュータ２０２ｂの利用者に配布する場合も、相手のメールアドレスを入力することで、電子メールを送信することができる。
　【００２５】
　利用者は各自のパーソナルコンピュータで画像入力装置２０１から送信されてきた電子メールを受けとり、画像データを取り出すことで画像データを利用することができる。また利用者は、取り出した画像データをイーサネットに接続されたプリンタ２０３へ出力することもできる。
　【００２６】
　以上のように、本実施例によれば、画像読み込みの操作および読み込んだ画像データの複数相手への電子メールによる送信を、画像入力装置単体で行なうことができ、利用者の作業を軽減すると共に、画像入力装置と接続する情報端末が必要ないため、システム全体のコストを低くすることができる。
　【００２７】
　（実施例２）
　次に、本発明の第２の実施例について、図３を参照しながら説明する。図３において、３０１は実際に画像を読み込むスキャナ、３０２は画像読み込み開始ボタンを備えるスキャナ制御部、３０３は読み込んだ画像データを圧縮処理し出力するデータ圧縮部、３０４はデータ圧縮部３０３の出力データを格納する記憶部、３０５はディスプレイ、３０６はスキャナ３０１の出力データをディスプレイ３０５に表示するディスプレイ制御部、３０７は電子メールの送信先入力のための英数字および特殊記号が入力可能なキーパッド、３０８はキーパッド３０７の出力をアスキーコードに変換し出力するキーパッド制御部、３０９は記憶部３０４から圧縮データを読み出し電子メールで出力する電子メール送信部、３１０は画像入力装置とイーサネットを接続するイーサネットインタフェース、３１１はイーサネット、３００は画像入力装置である。
　【００２８】
　なお、ここではネットワーク環境としてイーサネットを使用する場合について説明するが、例えばＦＤＤＩなど他のネットワーク環境を使用する場合も、同様に使用することができる。
　【００２９】
　以上のように構成された画像入力装置について、以下その動作を説明する。ここでは電子メールとしてＵＮＩＸメール（ＲＦＣ８２２）を利用する場合について説明する。利用者がスキャナ制御部３０２の画像読み込み開始ボタンを押すと、スキャナ制御部３０２は読み込み開始をディスプレイ制御部３０６へ伝達すると共にスキャナ３０１を制御し、スキャナ３０１が画像を読み込み、読み込まれた画像データはデータ圧縮部３０３とディスプレイ制御部３０６に出力される。
　【００３０】
　データ圧縮部３０３はスキャナ３０１の出力データを圧縮処理し記憶部３０４へ出力し、記憶部３０４は画像データを格納する。ディスプレイ制御部３０６はスキャナ３０１からの出力データをディスプレイ３０５に表示する。利用者がキーパッド３０７から電子メールの送信先のアドレスを入力すると、キーパッド制御部３０８はキーパッド３０７の出力データをアスキーコードに変換し送信先アドレス情報として電子メール送信部３０９へ出力する。電子メール送信部３０９は送信先アドレス情報を入力されると、記憶部３０４から圧縮画像データを読み出しアスキーコードに変換し、送信先アドレス情報を加えて電子メールを作成し、イーサネットインタフェース３１０を介しイーサネット３１１へ電子メールを出力する。
　【００３１】
　アスキーコードに変換した画像データのサイズが５０キロバイトを越える場合は、画像データを５０キロバイトごとに分割してから電子メールを作成し、イーサネットインタフェース３１０を介してイーサネット３１１へ電子メールを複数回出力する。なお、ここでは電子メールとしてＵＮＩＸメール（ＲＦＣ８２２）を利用する場合について説明したが、例えばＭＨＳ（Ｘ．４００）プロトコルのメールシステムも同様に利用することができる。ＭＨＳ（Ｘ．４００）を利用する場合はバイナリデータをそのままのサイズで電子メールに取り込むことが可能なため、電子メール送信部１０８でのアスキーコードへの変換及び画像データの分割処理は不要となる。
　【００３２】
　以上のように、本実施例によれば、記憶部が格納するデータは圧縮データであるため、記憶部の記憶容量の消費を軽減することができると共に、画像入力装置が出力する電子メールに含まれるデータは圧縮データであるため、非圧縮画像データを含む電子メールと比較して電子メールのサイズが小さくなり、ネットワークの負荷が軽減され、さらに送信先の情報端末の記憶装置の消費を軽減することができる。
　【００３３】
　（実施例３）
　次に、本発明の第３の実施例について、図４を参照しながら説明する。図４において、４０１は実際に画像を読み込むスキャナ、４０２はスキャナ制御部、４０３は読み込んだ画像データを格納する記憶部、４０４はディスプレイ、４０５は画像データや電子メールのアドレス情報をディスプレイに表示するディスプレイ制御部、４０６は画像読み込み操作や電子メールの送信先の入力を行なうペン入力デバイス。
　【００３４】
　４０７は読み込み開始やメール送信やアドレス選択やアドレス一覧のページめくりの操作と数字の入力操作に対応した各入力箇所が特定の座標領域に割り当てられていてその座標領域に対応する操作内容または数字が表記されている座標入力面、４０８はペン入力デバイス４０６と座標入力面４０７からの入力から座標を算出しその座標に割り当てられている操作が存在する場合は動作指示情報を出力するペン入力デバイス制御部、４０９は電子メールのアドレスの一覧が格納されているアドレス記憶部。
　【００３５】
　４１０はアドレス記憶部４０９からアドレス情報を読み出しペン入力デバイス制御部４０８から入力されるアドレス選択情報に合致するアドレスを選択して出力するアドレス判定部、４１１は記憶部４０３の画像データを読み出し電子メールを作成する電子メール送信部、４１２は画像入力装置とイーサネットを接続するイーサネットインタフェース、４１３はイーサネット、４００は画像入力装置である。
　【００３６】
　なお、ここではネットワーク環境としてイーサネットを使用する場合について説明するが、例えばＦＤＤＩなど他のネットワーク環境を使用する場合も、同様に使用することができる。
　【００３７】
　以上のように構成された画像入力装置について、以下その動作を説明する。ここでは電子メールとしてＵＮＩＸメール（ＲＦＣ８２２）を利用する場合について説明する。利用者がペン入力デバイス４０６を用いて座標入力面４０７の読み込み開始と表記されている部分を指定すると、ペン入力デバイス制御部４０８はペン入力デバイス４０６と座標入力面４０７の出力から座標を算出し、その座標が特定の操作に対応しているか否かを判定する。この場合は読み込み開始操作に対応しているため、スキャナ制御部４０２に読み込み開始を指示する。
　【００３８】
　スキャナ制御部４０２はスキャナ４０１を制御し画像を読み込みを開始すると共にディスプレイ制御部４０５へ画像読み込み開始を伝達する。スキャナ４０１は画像を読み込み、記憶部４０３とディスプレイ制御部４０５へ画像データを出力する。記憶部４０３はスキャナ４０１から入力された画像データを格納する。ディスプレイ制御部４０５はスキャナ４０１から入力された画像データをディスプレイ４０４に表示する。
　【００３９】
　また、ディスプレイ制御部４０５はアドレス記憶部４０９からメールアドレス情報を読み出し、ディスプレイ４０４に昇順の数字と共にアドレス一覧を表示する。すべてのメールアドレスを一画面内に表示することができない場合は、可能なだけのアドレスを昇順の数字と共に表示し、最後に表示した数字に１を付加した数字を記憶しておく。画像データの電子メールによる送信を行なう場合は、利用者はディスプレイ４０４上に表示されているアドレス一覧の中から希望のアドレスを選択し、そのアドレスに対応して表示されている数字をペン入力デバイス４０６で座標入力面４０７の数字が表記されている部分を指定することで入力し、座標入力面４０７上のアドレス選択と表記されている部分を指定し、アドレスの選択を宣言する。
　【００４０】
　アドレスの選択が宣言されると、ペン入力デバイス制御部４０８は入力された数字とアドレス選択情報をアドレス判定部４１０へ出力する。アドレス判定部４１０はアドレス記憶部４０９からアドレス情報を読み出し、ペン入力デバイス制御部４０８から入力された数字に対応したアドレスを選択し、そのアドレス情報を保持する。
　【００４１】
　アドレスを複数選択する場合は、この操作を複数回繰り返す。またディスプレイ４０４に未表示のアドレスを選択する場合は座標入力面４０７のページめくりと表記されている部分を指定すると、ペン入力デバイス制御部４０８はディスプレイ制御部４０５へページめくりを指示する。ディスプレイ制御部４０５はアドレス一覧から記憶していた数字に対応したアドレス情報を選択しそのアドレス情報から一画面内に表示可能な数だけのアドレス情報を記憶していた数字から昇順の数字と共にディスプレイ４０４に表示する。
　【００４２】
　このようにして利用者は必要なメールアドレスをすべて選択し、選択後座標入力面４０７上の電子メール送信と表記されている部分をペン入力デバイスで指定する。電子メール送信が指定されるとペン入力デバイス制御部４０８はアドレス判定部４１０へ電子メール送信の指示を伝達する。アドレス判定部４１０は電子メール送信の指示を受けると、保持していたアドレス情報と電子メール送信の指示を電子メール送信部４１１へ出力する。電子メール送信部４１１は電子メール送信指示を受けると、記憶部４０３から画像データを読み出し、画像データをアスキーコードに変換し、アドレス情報を加えて電子メールを作成し、イーサネットインタフェース４１２を介し、イーサネット４１３へ電子メールを出力する。
　【００４３】
　変換した画像データのサイズが５０キロバイトを越える場合は画像データを５０キロバイトごとに分割し、複数回に分けて出力する。なお、ここでは電子メールとしてＵＮＩＸメール（ＲＦＣ８２２）を利用する場合について説明したが、例えばＭＨＳ（Ｘ．４００）プロトコルのメールシステムも同様に利用することができる。ＭＨＳ（Ｘ．４００）を利用する場合はバイナリデータをそのままのサイズで電子メールに取り込むことが可能なため、電子メール送信部１０８でのアスキーコードへの変換及び画像データの分割処理は不要となる。
　【００４４】
　以上のように、本実施例によれば、画像読み込みや電子メール送信の操作をペン入力デバイスで座標入力面の所定の部分を指定することで行なうことができ、また、ディスプレイを見てアドレス情報を選択しペン入力デバイスで座標入力面の数字入力部分から数字を入力するだけでメールアドレスの設定を行なうことができるので、画像入力装置の操作性を向上させることができる。
　【００４５】
　（実施例４）
　次に本発明の第４の実施例について、図５を参照しながら説明する。図５は上記第３の実施例において示した図４の画像入力装置の座標入力面を透明なものにし、ディスプレイ上に設置し、ディスプレイ上に表示した操作ボタンやアドレス一覧の位置に対応した座標領域に各機能をわりあてたものの、ディスプレイと座標入力面の様子を示したものである。
　【００４６】
　図５において、５０１はディスプレイと座標入力面の一体装置、５０２はペン入力デバイスである。座標入力面５０１には数字入力領域は存在せず、ディスプレイ５０１のアドレス情報の表示位置に対応する座標領域にアドレス情報選択操作が割り当ててある。この点以外の本画像入力装置の構成と動作は、上記第３の実施例で示したものと同様である。
　【００４７】
　図５の画像入力装置を使用したシステムの構成例を図６に示す。図６において、６０１は画像入力装置、６０２ａ、６０２ｂ、６０２ｃ、６０２ｄ、６０２ｅはそれぞれ利用者Ａ、Ｂ、Ｃ、Ｄ、Ｅが使用するパーソナルコンピュータ、６０３はネットワークである。説明を簡単にするために５人で使用するネットワークとしているが、Ｎ人で使用する場合についても同様に行なうことができる。
　【００４８】
　図５では利用者Ａが画像入力装置を用いて画像を読み込み、利用者Ａと利用者Ｃに電子メールを送信する場合の、画像入力装置のディスプレイと座標入力面の様子を示している。利用者Ａはディスプレイと座標入力面の一体装置５０１上の読み込みボタンをペン入力デバイス５０２で指定することにより画像を読み込むことができる。またディスプレイと座標入力面の一体装置５０１上に表示されている５人のネットワーク利用者のメールアドレスの中から、利用者Ａと利用者Ｃのアドレスをペン入力デバイス５０２で選択指定し、メール送信ボタンを指定することで電子メールを送信することができる。
　【００４９】
　以上のように、本実施例によれば、ディスプレイに表示された操作ボタンの位置をペン入力デバイスで指定することで、画像の読み込み操作や電子メールの送信先の入力を行なうことができるため、画像入力装置の操作性をより向上させることができる。
　【００５０】
　（実施例５）
　次に、本発明の第５の実施例について、図７を参照しながら説明する。図７において、７０１は実際に画像を読み込むスキャナ、７０２はスキャナ制御部、７０３は読み込んだ画像データを格納する記憶部、７０４はディスプレイ、７０５は画像データや電子メールのアドレス情報をディスプレイに表示するディスプレイ制御部、７０６は画像読み込み操作や電子メールの送信先の入力を行なうペン入力デバイス、７０７は読み込み開始やメール送信やアドレス選択やアドレス一覧のページめくりの操作と数字の入力操作に対応した各入力箇所が特定の座標領域に割り当てられていてその座標領域に対応する操作内容または数字が表記されている座標入力面、７０８はペン入力デバイス７０６と座標入力面７０７からの入力から座標を算出しその座標に割り当てられている操作が存在する場合は動作指示情報を出力するペン入力デバイス制御部、７０９はイーサネットに接続されているメールアドレスデータベースシステムにアクセスし電子メールのアドレス情報を読み出すアドレス参照部、７１０はアドレス参照部７０９からアドレス情報を読み出しペン入力デバイス制御部７０８から入力されるアドレス選択情報に合致するアドレスを選択して出力するアドレス判定部、７１１は記憶部７０３の画像データを読み出し電子メールを作成する電子メール送信部、７１２は画像入力装置とイーサネットを接続するイーサネットインタフェース、７００は画像入力装置、７１３はイーサネット、７１４は電子メールのアドレス情報を格納しているメールアドレスデータベース、７１５は外部からの参照要求に応えメールアドレスデータベースからアドレス情報を読み出し提供するデータベースサーバ、７１６はメールアドレスデータベースシステムである。
　【００５１】
　なお、ここではネットワーク環境としてイーサネットを使用する場合について説明するが、例えばＦＤＤＩなど他のネットワーク環境を使用する場合も、同様に使用することができる。
　【００５２】
　以上のように構成された画像入力装置について、以下その動作について説明する。主な動作については、上記第３の実施例と同様である。上記第３の実施例と動作が異なるのは、ディスプレイ制御部７０５およびアドレス判定部７１０がメールアドレス情報を読み出す際の動作である。
　【００５３】
　アドレス参照部７０９はイーサネットインタフェース７１２を介して、イーサネットに接続されたメールアドレスデータベースシステム７１６のデータベースサーバ７１５にアクセスし、メールアドレス参照の要求を伝達する。データベースサーバ７１５が要求を受けるとメールアドレスデータベース７１４からアドレス情報を読み出し、読み出したアドレス情報を渡す。
　【００５４】
　アドレス参照部７０９は受けとったアドレス情報を保持し、ディスプレイ制御部７０５やアドレス判定部７１０からのアドレス情報読み出しの要求に従ってアドレス情報を出力する。
　【００５５】
　例えばネットワークの利用者が新たに増えた場合は、画像入力装置７００の内部の変更は必要なく、新利用者のメールアドレスをメールアドレスデータベース７１４に登録するだけでよい。また画像入力装置７００を他のネットワーク環境に移動した場合も、ネットワークに接続されているメールアドレスデータベースシステムが存在すれば、画像入力装置７００の内部の変更なしに全く同様に使用することができる。
　【００５６】
　以上のように本実施例によれば、メールアドレス情報を画像入力装置の内部には持たず、ネットワークに接続されているメールアドレスデータベースシステムを利用することにより、画像入力装置の汎用性を高めることができる。
　【００５７】
　【発明の効果】
　以上のように、本発明は、第１の構成として、画像を読み取り画像データを出力するスキャナと、読み込み開始ボタンを備えるスキャナ制御部と、画像データを格納する記憶部と、画像データを表示するディスプレイと、スキャナの出力する画像データをディスプレイに表示するディスプレイ制御部と、
電子メールの送信先を入力するキーパッドと、キーパッドからの入力に対応するアスキーコードに出力するキーパッド制御部と、
キーパッド制御部から出力される
ペン入力デバイスと、前記ディスプレイと読み込み開始やメール送信やメールアドレス選択の操作の入力箇所が特定の座標領域に割り当てられているペン入力デバイスの座標入力面とを一体にした装置と、ペン入力デバイスと座標入力面の入力から指定座標を算出しその座標に割り当てられている操作が存在する場合は操作の指示情報を出力するペン入力デバイス制御部と、電子メールの送信先アドレスを格納しているアドレス記憶部と、アドレス記憶部から読み出したメールアドレスからペン入力デバイス制御部の出力するメールアドレス選択情報に合致するメールアドレスを選択し電子メール送信部へ出力するアドレス選択部と、
を備え、
　
前記一体にした装置の所定のボタンをペン入力デバイスで指定することにより画像を読み込み、電子メールの送信先の入力をペン入力で行なうことを特徴とする画像入力装置であり、
き、画像入力装置の操作性を向上させることができる。
　【００５８】
　【００５９】
　【００６０】
【図面の簡単な説明】
　【図１】
　本発明の第１の実施例における画像入力装置の構成を示すブロック図
　【図２】
　本発明の第１の実施例における画像入力装置を使用したシステムの構成を示す概念図
　【図３】
　本発明の第２の実施例における画像入力装置の構成を示すブロック図
　【図４】
　本発明の第３の実施例における画像入力装置の構成を示すブロック図
　【図５】
　本発明の第４の実施例における画像入力装置の動作を示す概念図
　【図６】
　本発明の第４の実施例における画像入力装置を使用したシステムの構成を示す概念図
　【図７】
　本発明の第５の実施例における画像入力装置の構成を示すブロック図
　【図８】
　従来の画像入力装置の構成を示す概念図
　【符号の説明】
　１００　画像入力装置
　１０１　スキャナ
　１０２　スキャナ制御部
　１０３　記憶部
　１０４　ディスプレイ
　１０５　ディスプレイ制御部
　１０６　キーパッド
　１０７　キーパッド制御部
　１０８　電子メール送信部
　１０９　イーサネットインタフェース
　１１０　イーサネット
　２０１　画像入力装置
　２０２　ａ、ｂ　パーソナルコンピュータ
　２０３　プリンタ
　２０４　イーサネット
　３００　画像入力装置
　３０１　スキャナ
　３０２　スキャナ制御部
　３０３　データ圧縮部
　３０４　記憶部
　３０５　ディスプレイ
　３０６　ディスプレイ制御部
　３０７　キーパッド
　３０８　キーパッド制御部
　３０９　電子メール送信部
　３１０　イーサネットインタフェース
　３１１　イーサネット
　４００　画像入力装置
　４０１　スキャナ
　４０２　スキャナ制御部
　４０３　記憶部
　４０４　ディスプレイ
　４０５　ディスプレイ制御部
　４０６　ペン入力デバイス
　４０７　座標入力面
　４０８　ペン入力デバイス制御部
　４０９　アドレス記憶部
　４１０　アドレス判定部
　４１１　電子メール送信部
　４１２　イーサネットインタフェース
　４１３　イーサネット
　５０１　ディスプレイとペン入力デバイスの座標入力面を一体にした装置
　５０２　ペン入力デバイス
　６０１　画像入力装置
　６０２　ａ、ｂ、ｃ、ｄ、ｅ　パーソナルコンピュータ
　６０３　ネットワーク
　７００　画像入力装置
　７０１　スキャナ
　７０２　スキャナ制御部
　７０３　記憶部
　７０４　ディスプレイ
　７０５　ディスプレイ制御部
　７０６　ペン入力デバイス
　７０７　座標入力面
　７０８　ペン入力デバイス制御部
　７０９　アドレス参照部
　７１０　アドレス判定部
　７１１　電子メール送信部
　７１２　イーサネットインタフェース
　７１３　イーサネット
　７１４　メールアドレスデータベース
　７１５　データベースサーバ
　７１６　メールアドレスデータベースシステム
　８０１　ホストコンピュータ
　８０２　スキャナプリンタサーバ
　８０３　画像処理装置
　８０４　ネットワーク
　８０５　クライアントプロセス
　８０６　サーバプロセス
　８０７　スキャナ制御信号
　８０８　同期信号とデータ信号